(57)【要約】      （修正有）【課題】耳付面木を型枠に敏速かつ完全に取り付けることが出来、取り外し作業が簡単にしかも耳付面木を傷めることなく行える。【解決手段】釘５の釘先を取り去ることにより太さを一定にし、耳付面木の耳部１２０上にその釘５の径と同じ径もしくは、ほんの少し大きな径の釘穴１３０をあけて釘５を押し込むと耳部１２０上に釘５を立てることができるので、釘５を手で支えなくても金槌６で簡単に打ち込むことができる。また、型枠を形成するコンパネ３００の積層部分、すなわち表面、裏面、芯からなる堅い部分によってサンドイッチ状に囲まれているコンパネ３００の側面の柔らかい部分に釘５を打ち込んで耳付面木を型枠に取り付ければ、２０ｍｍ前後の長さの釘５を使用してもその取り外し時の抵抗が少ないので耳付面木を型枠から傷つけずに取り外すことが出来る。【選択図】図２
2010059763.tif 000002
【特許請求の範囲】
【請求項１】
コンクリート構造物の天端の面取りを行うべき耳付面木を型枠に取り付けるのに、その耳付面木の耳部上にその耳付面木を取り付けるのに使用する釘の太さと同じかまたはほんの少し大きな径の穴を開け、その穴に長さ１０ｍｍ前後で釘先の無い、又は釘先がほとんど無い釘を差し込むことにより釘穴でその釘を保持し、耳部上にその釘を立て、金槌でその釘の頭を叩き込み型枠に耳付面木を取り付ける工法。
【請求項２】
請求項１の型枠上に取り付けられている耳付面木の一端を持ち、打ち込み方向と逆の方向に引き上げることにより、釘を抜き去り、耳付面木を損傷すること無く元の状態に取り外す工法。
【請求項３】
耳付面木を型枠のコーナーに当てたときに、ちょうどコンパネの側面の柔らかい部分、すなわち表面、裏面、芯からなる堅い部分によりサンドイッチ状に挟まれている柔らかい部分に、釘が打ち込まれるように位置決めされた釘穴をその耳部上に有するコーナー用の耳付面木を、型枠のコーナーに当て、その耳付面木の耳部上にあけられているその釘穴に釘を打ち込むことにより、コンパネ側面の柔らかい部分に釘を打ち込み耳付面木を型枠のコーナーに取り付ける工法。
【請求項４】
請求項３の型枠のコーナー部に取り付けられている耳付面木の一端を持ち、打ち込み方向と逆の方向に引き上げることにより釘を抜き去り耳付面木を損傷することなく元の状態に取り外す工法。
【請求項５】
ちょうどコンパネの側面の柔らかい部分、すなわち表面、裏面、芯からなる堅い部分によりサンドイッチ状に挟まれているコンパネ側面の柔らかい部分に、釘が打ち込めるよう位置決めされているラインが、その耳部の裏面に印されている耳付面木を、型枠のコーナーに当て、ラインに沿って釘を打ちこむことで、耳付面木を型枠に取り付ける工法。
【請求項６】
請求項５の型枠のコーナー部に取り付けられている面木の一端を持ち、打ち込み方向と逆の方向に引き上げることにより耳部に釘がついた状態で耳付面木を型枠から取り外す工法。
【請求項７】
天端部の面取りに使用する耳付面木の耳部上にその耳付面木を型枠上に取り付ける釘先の無い釘又は釘先がほとんどない長さが１０ｍｍ前後の釘の径と同じ大きさの径の釘穴が開けられている天端用の耳付面木。
【請求項８】
耳付面木を型枠のコーナーに当て、その耳付面木の耳部上に開けられている釘穴に釘を打ち込むと、ちょうどコンパネの側面の柔らかい部分、すなわち表面、裏面、芯からなる堅い部分によりサンドイッチ状に挟まれているコンパネ側面の柔らかい部分に、正確に釘が打ち込めるように位置づけされた釘穴がその耳部上にあけられているコーナー用の耳付面木。
【請求項９】
耳付面木を型枠のコーナーに当てたときに、コンパネの側面の柔らかい部分、すなわち表面、裏面、芯からなる堅い部分によりサンドイッチ状に挟まれているコンパネ側面の柔らかい部分に釘が打ち込めるよう位置決めされたラインがその耳部の裏面に印されているコーナー用の耳付面木。
【請求項１０】
長さが１０ｍｍ前後の釘で釘先のない、もしくは釘先がほとんどない釘。
【発明の詳細な説明】
【技術分野】
【０００１】  本発明では道路の路肩やビルなどのコンクリート構造物の面取りに使用する面木に新たに耳部を設けた耳付面木の耳部に以下に述べる工法で釘を打ち込み型枠に止めることにより、その型枠への取り付け及び、取り外しの作業が迅速かつ正確にしかも品物を損傷することなく行えるようにしたものであり、当工法によりその経済性を大きく高めることができる。
【背景技術】
【０００２】  コンクリート構造物の従来の面木による面取り及び耳付面木による面取は以下の出願に記載されている。  実用新案  第２５６０８７５，特許第３８４９１０４号  特願平９−３６７６２１，特願平成１０−１３４６０６，特願２００１−２３５５８６  特願２００１−３５５３７７，特願２００２−１７９２１６，特願２００５０１２４１８５  特願２００７−２４８３５
【発明の開示】
【発明が解決しようとする課題】
【０００３】  実用新案代２５６０８７５においての面木の型枠への取り付け方は耳付面木の耳部に釘を途中まで打ち込み型枠に取り付ける方法であり、生コン打設時のコテでの作業に釘の頭が邪魔になっていた。そこで以後の考案では釘の頭が飛び出さないセパレイト型の釘又はタッカー針による取り付け方に変更した。しかし、セパレイト型の釘は製造コストが高く、又作業時の持ち運びの振動により接着部あるいは取り付け部に剥がれが生じ使用できないセパレイト釘ができる。他方、タッカーの取り付けでは、塩ビ材は温度が低くなると硬度が増すのでタッカーによる打ち込みが困難となり、その取り付けに問題が生じる。又、特願２００７−２４８３５の工法においても釘の頭部の一部によって品物を型枠に押し付け固定する工法なので、その取り付けは完全とはいえず、又その取り付け及び取り外し後の釘の型枠からの取り外しなどが煩わしい。以上を踏まえ、どの方法による取り付けが理想的かと考えると１０ｍｍ前後の長さの釘を耳付面木の耳部に打ち込み耳付面木を型枠に取り付けるとその取り付けは万全で有り、しかもその型枠からの取り外しの際に耳付面木を傷めることもないと言う結論に達した、ところが１０ｍｍ前後の釘は短すぎて手に持つと指の間に埋もれてしまって金槌を使い打ち込むことはきわめて困難である。
【課題を解決するための手段】
【０００４】  そこで、手に持って打ち込むことが出来ないこの１０ｍｍ前後の長さの短い釘を打ち込める方法を模索した。その結果、釘の細くなっている部分、すなわち釘先を取り去り釘の太さを一定にした状態の釘を耳付面木の耳部上に開けられたその釘の径と同じ径、もしくはほんの少し大きな径の釘穴に差し込んだ場合には、隙間が生じないため釘穴によって釘を耳部上に保持することができ、手で支えなくても、金槌で簡単に釘を打ち込むことができることが判明した。【０００５】  又、コーナー部への耳付面木の取り付けは型枠の側面に釘を打ち付けるので型枠の側面を形成するコンパネの積層状態に着目した。すなわち、コンパネは表面、裏面、芯からなる堅い層に柔らかい層がサンドイッチ状に挟み込まれ積層されているため、その側面の柔らかい部分に釘を打ち込めばその引き抜きの時の抵抗は小さく、太さが１．３ｍｍ程度の細めの釘であれば、手で持って打ち込むことが出来る範囲である２０ｍｍ程度の長さの釘で耳付面木を型枠に取り付けても、その取り外し時に耳付面木が損傷することはないことに考え及んだ。
【発明の効果】
【０００６】  当工法では耳付面木の型枠への取り付けを上述のような釘を用いて行うので、その取り付けは完璧に行うことが出来、しっかりと型枠に取り付けることができる。又、その取り外しも容易であり、しかも外される耳付面木に損傷を与えることがないため繰り返し使用することが可能となり、その経済性は大きい。
【発明を実施するための最良の形態】
【０００７】
【実施例１】
【０００８】  まず、最初にコンクリート構造物の天端部の面取りについて述べると、型枠９を立て、その内部の天端となるべき位置に天端墨を打ち、その墨に沿って直径が１．８ｍｍの釘穴１３０がその耳部１２０上に開けられている天端用の耳付面木１００を当て、直径が１．８ｍｍで長さ１０ｍｍの釘先がほとんど無い釘５をその耳部上の釘穴１３０に差し込むことにより釘を耳部上に立て、その釘５を金槌６で打ち込むことにより耳付面木を型枠に取り付け、生コンを流し込み、面木の上面にコテを乗せ、滑らせることにより天端を均し、数日の間、生コンの固化を待ち、その固化後に型枠を少し浮かせて隙間を作り耳付面木の一端を手で持ち、打ち込み方向と逆の方向に引き上げ釘を抜き去るように外し、残った型枠をばらすと天端部が面取りされたコンクリート構造物が出来上がる。
【実施例２】
【０００９】  次に、コンクリート構造物のコーナー部の面取りについて述べると、型枠９を立て、次にコーナー用の耳付面木２００を型枠のコーナーに当て、その耳付面木の耳部上に開けられている釘穴１３０に、直径が１．３ｍｍで長さが２０ｍｍの釘７を打ち込むことによりコンパネの側面の柔らかい部分３４０に釘を打ち込み耳付面木を型枠のコーナーに取り付け、生コンを流し込み一定の期間生コンの固化を待ち、固化後に型枠を少し浮かせて隙間を作り、耳付面木の一端を手で持ち、打ち込み方向と逆の方向に引き上げることにより釘を抜き去るように外し、残った型枠を外すとコーナー部が面取りされたコンクリート構造物が出来上がる。
【図面の簡単な説明】
【図１】ａ天端の面取りに使用する天端用の耳付面木を表す        ｂコーナーの面取りに使用するコーナー用の耳付面木を表す        ｃ長さが１０ｍｍ前後の釘先のない釘を表す
【図２】ａ天端用の耳付面木を型枠上の天端墨に合わせて当て、釘先のない釘を耳部          上にあけられている釘穴に押し込み立てた状態を表す        ｂ上記の釘を金槌で打ち込んでいる状態を表す
【図３】ａ型枠の上に取り付けられた天端用の耳付面木を表す        ｂ天端用の面木を型枠から取り外している状態を表している
【図４】ａコーナー用の耳付面木を型枠に取り付けている状態を表している        ｂコーナーが組まれた状態を表している
【図５】ａ組まれたコーナーの型枠の一方が取り外された状態を表す        ｂ型枠からコーナー用の耳付面木が外されている状態を表す
【図６】他のいろいろな耳付面木を表す
【図７】ａ従来の面木を表す        ｂ型枠上に取り付けられた従来の面木を表す
【符号の説明】
５      １０ｍｍ前後の釘先のほとんどない釘６      金槌７      細めで長さが２０ｍｍ前後の釘８      指で釘を持っている状態を表す９      型枠１０    従来の面木１００  天端用の耳付面木１１０  耳付面木の本体１２０  耳部１３０  釘穴１４０  突起部２００  コーナー用の耳付面木３００  コンパネ３１０  コンパネの表面３２０  コンパネの裏面３３０  コンパネの芯３４０  コンパネの柔らかい部分
【図１】
2010059763.tif 000003
【図２】
2010059763.tif 000004
【図３】
2010059763.tif 000005
【図４】
2010059763.tif 000006
【図５】
2010059763.tif 000007
【図６】
2010059763.tif 000008
【図７】
2010059763.tif 000009